(57)【要約】【課題】支線に撚り込んでいる巻付グリップの末端部を、両側から挟み込むばらけ防止具を取り付けることにより、巻付グリップが解れてばらけしまう事態の発生を未然に防止した、巻付グリップのばらけ防止具を提供する。【解決手段】本発明は、所定の針金部材を略Ｕ字状に折曲して形成した巻付グリップを、シンブルを介して電柱に取り付けるバンドを備えた支線取付具において、巻付グリップの略Ｕ字状の両端部を、支線に撚り込んで支線を把持している巻付グリップのばらけ防止具であって、該ばらけ防止具は、支線に撚り込んでいる巻付グリップの末端部を、両側から挟み込む一対のリング半割体により形成されている。【選択図】図２
2012191762.tif 000002
【特許請求の範囲】
【請求項１】
所定の針金部材を略Ｕ字状に折曲して形成した巻付グリップを、シンブルを介して電柱に取り付けるバンドを備えた支線取付具において、巻付グリップの略Ｕ字状の両端部を、支線に撚り込んで支線を把持している巻付グリップのばらけ防止具であって、該ばらけ防止具は、支線に撚り込んでいる巻付グリップの末端部を、両側から挟み込む一対のリング半割体により形成されていることを特徴とした、巻付グリップのばらけ防止具。
【請求項２】
所定の針金部材を略Ｕ字状に折曲して形成した巻付グリップを、地面に打ち込んでいるアンカーにシンブルを介して引っ掛けた状態で、巻付グリップの略Ｕ字状の両端部を、支線に撚り込んで支線を把持している巻付グリップのばらけ防止具であって、該ばらけ防止具は、支線に撚り込んでいる巻付グリップの末端部を、両側から挟み込む一対のリング半割体により形成されていることを特徴とした、巻付グリップのばらけ防止具。
【請求項３】
所定の針金部材を略Ｕ字状に折曲して形成した巻付グリップを、玉がいし部を介して、上側支線・下側支線に撚り込んだ状態で、巻付グリップの略Ｕ字状の両端部を把持している巻付グリップのばらけ防止具であって、該ばらけ防止具は、支線に撚り込んでいる巻付グリップの末端部を、両側から挟み込む一対のリング半割体により形成されていることを特徴とした、巻付グリップのばらけ防止具。
【請求項４】
一対のリング半割体は、一方のリング半割体の一端部に嵌合凸部、他端部に嵌合凹部を設け、また、他方のリング半割体の一端部に嵌合凹部、他端部に嵌合凸部を設け、一対のリング半割体は、その両端部同士が嵌合する請求項１乃至３のいずれかに記載の巻付グリップのばらけ防止具。
【請求項５】
所定の針金部材を略Ｕ字状に折曲して形成した巻付グリップを、シンブルを介して電柱に取り付けるバンドを備えた支線取付具において、巻付グリップの略Ｕ字状の両端部を、支線に撚り込んで支線を把持している巻付グリップのばらけ防止具であって、該ばらけ防止具は、支線に撚り込んでいる巻付グリップの末端部を、両側から挟み込むねじ込み式のクリップ体により形成されていることを特徴とした、巻付グリップのばらけ防止具。
【請求項６】
所定の針金部材を略Ｕ字状に折曲して形成した巻付グリップを、地面に打ち込んでいるアンカーにシンブルを介して引っ掛けた状態で、巻付グリップの略Ｕ字状の両端部を、支線に撚り込んで支線を把持している巻付グリップのばらけ防止具であって、該ばらけ防止具は、支線に撚り込んでいる巻付グリップの末端部を、両側から挟み込むねじ込み式のクリップ体により形成されていることを特徴とした、巻付グリップのばらけ防止具。
【請求項７】
所定の針金部材を略Ｕ字状に折曲して形成した巻付グリップを、玉がいし部を介して、上側支線・下側支線に撚り込んだ状態で、巻付グリップの略Ｕ字状の両端部を把持している巻付グリップのばらけ防止具であって、該ばらけ防止具は、支線に撚り込んでいる巻付グリップの末端部を、両側から挟み込むねじ込み式のクリップ体により形成されていることを特徴とした、巻付グリップのばらけ防止具。
【請求項８】
クリップ体は、支線に撚り込んでいる巻付グリップの末端部において、周側面の一方側に配置するＵ字ボルトと、周側面の他方側に配置する凹溝付台座から構成され、Ｕ字ボルトの両端部に設けたネジ部を、凹溝付台座に設けた孔部に挿入し、孔部の反対側から突出しているネジ部にナットを螺合させている請求項５乃至７のいずれかに記載の巻付グリップのばらけ防止具。
【発明の詳細な説明】
【技術分野】
【０００１】
本発明は、例えば、電柱と、電柱近傍の地面に打ち込んでいるアンカーの間に斜行状に張設されている電柱支持用の支線において、支線の端部に撚り込んで当該支線を把持している巻付グリップのばらけ防止具に関するものである。
【背景技術】
【０００２】
従来より、電柱と、電柱近傍の地面に打ち込んでいるアンカーの間に電柱支持用の支線を斜行状に張設するために、例えば、特許文献１に開示されている支線取付具が使用されている。
【０００３】
この支線取付具１００は、図１０に示すように、所定の針金部材を略Ｕ字状に折曲して形成した巻付グリップ１０２と、この巻付グリップ１０２を電柱Ｐに取り付けるステンレス製の強化バンド１０１により構成されている。
【０００４】
強化バンド１０１は、中央の側面に巻付グリップ１０２の通し金具１０３が付設されている。この通し金具１０３に巻付グリップ１０２を挿通させて、強化バンド１０１に巻付グリップ１０２を取り付けている。
【０００５】
そして、この支線取付具１００を使用する場合、図１１（ａ）に示すように、所定の締付金具を用いて電柱Ｐに強化バンド１０１を取り付け、巻付グリップ１０２の略Ｕ字状の両端部を、支線Ｑの上端部に撚り込んで、支線Ｑの上端部を巻付グリップ１０２により把持している。
【０００６】
このとき、支線Ｑの下端部は、地面に打ち込まれたアンカー１０４に固定されている。
【０００７】
この他にも、図４に示すように、支線Ｑの上端部と下端部のいずれにも、巻付グリップ１０２の略Ｕ字状の両端部を撚り込んで、電柱Ｐと、電柱Ｐ近傍の地面に打ち込んでいるアンカー１０４の間に電柱支持用の支線Ｑを斜行状に張設することもある。
【０００８】
このとき、支線Ｑの巻付グリップ１０２の使用箇所は、図４に示すように、電柱Ｐ側の強化バンド１０１の部分、電柱Ｐとアンカー１０４との略中間に配される玉がいし１０５の部分、アンカー１０４の部分の３カ所となる。
【０００９】
具体的には、強化バンド１０１は、図５に示すように、電柱Ｐに巻回される略Ｃリング状の帯板によって形成され、その両端部は共に外側に向けて折り曲げられて、互いに相対向する挟持片部１０８を備えている。この両挟持片部１０８には、ボルト孔が設けられている。
【００１０】
そして、強化バンド１０１の両挟持片部１０８相互間には、丸型シンブル１０６が配置されている。この丸型シンブル１０６は、円環状で中心に円孔を有し、外周縁の全体が凹状に窪んでいる略滑車状に形成されている。この丸型シンブル１０６は、ボルトＶにより支持されている。ボルトＶは、強化バンド１０１における両挟持片部１０８のボルト孔に挿入される。
【００１１】
このとき、ボルトＶは、両挟持片部１０８の間に配置されている丸型シンブル１０６の円孔に挿通している。そして、ボルトＶの軸部の先端部にナットＮを締結することで、強化バンド１０１は、電柱Ｐを締め付けるようにして電柱Ｐに取り付けられる。同時に、丸型シンブル１０６は、強化バンド１０１における両挟持片部１０８間に取り付けられる。
【００１２】
この丸型シンブル１０６には、図５に示すように、略Ｕ字状の巻付グリップ１０２が架け通され、巻付グリップ１０２の両端部を、上側支線Ｑ１の上端部に撚り込んで、上側支線Ｑ１の上端部を巻付グリップ１０２により把持している。
【００１３】
また、上側支線Ｑ１の下端部においては、図４・図６に示すように、玉がいし部１０５に巻かれた略Ｕ字状の巻付グリップ１０２の両端部を撚り込んで、上側支線Ｑ１の下端部を巻付グリップ１０２により把持している。
【００１４】
この玉がいし部１０５には、図６に示すように、さらに別の略Ｕ字状の巻付グリップ１０２が架けられ、巻付グリップ１０２の両端部を、下側支線Ｑ２の上端部に撚り込んで、下側支線Ｑ２の上端部を巻付グリップ１０２により把持している。この玉がいし部１０５の周面には、互いに直交するように巻付グリップ１０２を架けるための凹溝が形成されている。
【００１５】
また、下側支線Ｑ２の下端部においては、図７に示すように、地面に打ち込まれたアイボルト状のアンカー１０４に取り付けられている馬蹄形の分けシンブル１０７を介して、略Ｕ字状に折曲して形成した巻付グリップ１０２を引っ掛けた状態で、巻付グリップ１０２の略Ｕ字状の両端部を下側支線Ｑ２に撚り込んで、下側支線Ｑ２の下端部を巻付グリップ１０２により把持している。
【００１６】
このとき、アンカー１０４部に入れる分けシンブル１０７と中間の玉がいし部１０５は、それぞれ巻付グリップ１０２のサイズが異なる。このように、アンカー１０４の部分や強化バンド１０１の部分は、丸型シンブル１０６や分けシンブル１０７を介して、巻付グリップ１０２が取り付けられている。
【先行技術文献】
【特許文献】
【００１７】
【特許文献１】特開２００５−１０２３９５号公報
【発明の概要】
【発明が解決しようとする課題】
【００１８】
しかしながら、特許文献１に示す支線取付具１００を使用した場合、支線Ｑの上端部を、巻付グリップ１０２の略Ｕ字状の両端部により撚り込んで、支線Ｑの上端部を把持しているが、支線Ｑに撚り込んでいる巻付グリップ１０２の末端部に特別な措置を何ら施していないことから、図１１（ｂ）に示すように、支線Ｑに撚り込んでいる巻付グリップ１０２が解れてばらけてしまう事態が生じていた。
【００１９】
また、図４に示すように、電柱Ｐ側の強化バンド１０１の部分、電柱Ｐとアンカー１０４との略中間に配される玉がいし１０５の部分、アンカー１０４の部分において、巻付グリップ１０２の略Ｕ字状の両端部を支線Ｑ（上側支線Ｑ１、下側支線Ｑ２）に撚り込んでいるときも、支線Ｑに撚り込んでいる巻付グリップ１０２の末端部に特別な措置を何ら施していないことから、この巻付グリップ１０２の末端部が解れてばらけしまう事態が生じていた。
【００２０】
具体的には、電柱Ｐ側の強化バンド１０１の部分において、図５に示すように、上側支線Ｑ１の上端部に撚り込んでいる巻付グリップ１０２が解れてばらけしまう事態が生じていた。
【００２１】
また、電柱Ｐとアンカー１０４との略中間に配される玉がいし１０５の部分において、図６に示すように、下側支線Ｑ２の上端部に撚り込んでいる巻付グリップ１０２が解れてばらけしまう事態が生じていた。このとき、上側支線Ｑ１の下端部に撚り込んでいる巻付グリップ１０２が解れてばらけしまう事態も生じていた。
【００２２】
さらに、アンカー１０４の部分において、図７に示すように、下側支線Ｑ２の下端部に撚り込んでいる巻付グリップ１０２が解れてばらけしまう事態が生じていた。
【００２３】
この様な、玉がいし部１０５を介して上下に配置されている上側支線Ｑ１と下側支線Ｑ２に撚り込んでいる巻付グリップ１０２が解れてばらけてしまう事態の発生は、例えば、子供等が巻付グリップ１０２を解してしまう悪戯を要因とすることが多い。
【００２４】
そして、図８に示すように、その当初は、巻付グリップ１０２の一本を解すのであるが、この様な悪戯を連続して行うと、図９に示すように、巻付グリップ１０２の全体が解れてばらけしまう事態となり、このような巻付グリップ１０２のばらけた事態を放置すると、電柱Ｐを支持している支線Ｑ（上側支線Ｑ１、下側支線Ｑ２）としての機能が失われて、電柱Ｐが倒壊してしまう虞がある。
【００２５】
また、巻付グリップ１０２が解れている事態を放置すると、子供等が巻付グリップ１０２をさらに解してしまう悪戯を助長してしまうことになる。
【００２６】
そして、巻付グリップ１０２が解れてばらけしまうと、その都度、補修作業を実施しなければならず、作業員による手間と、所定の費用を費やしていた。
【００２７】
また、子供等が巻付グリップ１０２を解してしまう悪戯をやめさせるために、作業員が定期的に巡回するのも、非常に面倒である。
【００２８】
そこで、本発明は如上のような従来存した諸事情に鑑み創出されたもので、支線に撚り込んでいる巻付グリップの末端部を、両側から挟み込むばらけ防止具を取り付けることにより、巻付グリップが解れてばらけしまう事態の発生を未然に防止した、巻付グリップのばらけ防止具を提供することを目的とする。
【課題を解決するための手段】
【００２９】
本発明は、所定の針金部材を略Ｕ字状に折曲して形成した巻付グリップを、シンブルを介して電柱に取り付けるバンドを備えた支線取付具において、巻付グリップの略Ｕ字状の両端部を、支線に撚り込んで支線を把持している巻付グリップのばらけ防止具であって、該ばらけ防止具は、支線に撚り込んでいる巻付グリップの末端部を、両側から挟み込む一対のリング半割体により形成されていることで、上述した課題を解決した。
【００３０】
また、本発明は、所定の針金部材を略Ｕ字状に折曲して形成した巻付グリップを、地面に打ち込んでいるアンカーにシンブルを介して引っ掛けた状態で、巻付グリップの略Ｕ字状の両端部を、支線に撚り込んで支線を把持している巻付グリップのばらけ防止具であって、該ばらけ防止具は、支線に撚り込んでいる巻付グリップの末端部を、両側から挟み込む一対のリング半割体により形成されていることで、同じく上述した課題を解決した。
【００３１】
さらに、本発明は、所定の針金部材を略Ｕ字状に折曲して形成した巻付グリップを、玉がいし部を介して、上側支線・下側支線に撚り込んだ状態で、巻付グリップの略Ｕ字状の両端部を把持している巻付グリップのばらけ防止具であって、該ばらけ防止具は、支線に撚り込んでいる巻付グリップの末端部を、両側から挟み込む一対のリング半割体により形成されていることで、同じく上述した課題を解決した。
【００３２】
また、一対のリング半割体は、一方のリング半割体の一端部に嵌合凸部、他端部に嵌合凹部を設け、また、他方のリング半割体の一端部に嵌合凹部、他端部に嵌合凸部を設け、一対のリング半割体は、その両端部同士が嵌合することで、同じく上述した課題を解決した。
【００３３】
この他、本発明は、所定の針金部材を略Ｕ字状に折曲して形成した巻付グリップを、シンブルを介して電柱に取り付けるバンドを備えた支線取付具において、巻付グリップの略Ｕ字状の両端部を、支線に撚り込んで支線を把持している巻付グリップのばらけ防止具であって、該ばらけ防止具は、支線に撚り込んでいる巻付グリップの末端部を、両側から挟み込むねじ込み式のクリップ体により形成されていることで、同じく上述した課題を解決した。
【００３４】
また、本発明は、所定の針金部材を略Ｕ字状に折曲して形成した巻付グリップを、地面に打ち込んでいるアンカーにシンブルを介して引っ掛けた状態で、巻付グリップの略Ｕ字状の両端部を、支線に撚り込んで支線を把持している巻付グリップのばらけ防止具であって、該ばらけ防止具は、支線に撚り込んでいる巻付グリップの末端部を、両側から挟み込むねじ込み式のクリップ体により形成されていることで、同じく上述した課題を解決した。
【００３５】
さらに、本発明は、所定の針金部材を略Ｕ字状に折曲して形成した巻付グリップを、玉がいし部を介して、上側支線・下側支線に撚り込んだ状態で、巻付グリップの略Ｕ字状の両端部を把持している巻付グリップのばらけ防止具であって、該ばらけ防止具は、支線に撚り込んでいる巻付グリップの末端部を、両側から挟み込むねじ込み式のクリップ体により形成されていることで、同じく上述した課題を解決した。
【００３６】
また、クリップ体は、支線に撚り込んでいる巻付グリップの末端部において、周側面の一方側に配置するＵ字ボルトと、周側面の他方側に配置する凹溝付台座から構成され、Ｕ字ボルトの両端部に設けたネジ部を、凹溝付台座に設けた孔部に挿入し、孔部の反対側から突出しているネジ部にナットを螺合させていることで、同じく上述した課題を解決した。
【発明の効果】
【００３７】
本発明は、所定の針金部材を略Ｕ字状に折曲して形成した巻付グリップを、シンブルを介して電柱に取り付けるバンドを備えた支線取付具において、巻付グリップの略Ｕ字状の両端部を、支線に撚り込んで支線を把持している巻付グリップのばらけ防止具であって、該ばらけ防止具は、支線に撚り込んでいる巻付グリップの末端部を、両側から挟み込む一対のリング半割体により形成されているから、支線に撚り込んでいる巻付グリップの末端部に一対のリング半割体を取り付けて、巻付グリップが解れてばらけてしまう事態の発生を未然に防止することができる。
【００３８】
また、巻付グリップが解れてばらけてしまうと、その都度、補修作業を実施しなければならないが、支線に撚り込んでいる巻付グリップの末端部に一対のリング半割体を取り付けて、巻付グリップが解れてばらけてしまう事態がそもそも発生しないようにする為、その補修作業を実施する必要もない。
【００３９】
さらに、本発明は、所定の針金部材を略Ｕ字状に折曲して形成した巻付グリップを、地面に打ち込んでいるアンカーにシンブルを介して引っ掛けた状態で、巻付グリップの略Ｕ字状の両端部を、支線に撚り込んで支線を把持している巻付グリップのばらけ防止具であって、該ばらけ防止具は、支線に撚り込んでいる巻付グリップの末端部を、両側から挟み込む一対のリング半割体により形成されていることから、地面の近辺において、例えば、子供等が巻付グリップを解してしまう悪戯を排除できる。
【００４０】
また、本発明は、所定の針金部材を略Ｕ字状に折曲して形成した巻付グリップを、玉がいし部を介して、上側支線・下側支線に撚り込んだ状態で、巻付グリップの略Ｕ字状の両端部を把持している巻付グリップのばらけ防止具であって、該ばらけ防止具は、支線に撚り込んでいる巻付グリップの末端部を、両側から挟み込む一対のリング半割体により形成されていることから、電柱とアンカーとの略中間に配される玉がいしの部分においても、子供等の手の届く高さの範囲においては、必要に応じて、上側支線と下側支線に撚り込んでいる巻付グリップの端部にばらけ防止具を取り付けて、巻付グリップが解れてばらけてしまう事態の発生を未然に防止することができる。
【００４１】
加えて、一対のリング半割体は、一方のリング半割体の一端部に嵌合凸部、他端部に嵌合凹部を設け、また、他方のリング半割体の一端部に嵌合凹部、他端部に嵌合凸部を設けていることから、支線に撚り込んでいる巻付グリップの末端部に一対のリング半割体を当てがい、それぞれの嵌合凸部と嵌合凹部を嵌合させて、巻付グリップの末端部に一対のリング半割体を簡単に取り付けることができる。
【００４２】
また、一対のリング半割体を強固に取り付けて、巻付グリップの末端部から一対のリング半割体が外れてしまう事態の発生も阻止している。
【００４３】
この他、本発明は、所定の針金部材を略Ｕ字状に折曲して形成した巻付グリップを、シンブルを介して電柱に取り付けるバンドを備えた支線取付具において、巻付グリップの略Ｕ字状の両端部を、支線に撚り込んで支線を把持している巻付グリップのばらけ防止具であって、該ばらけ防止具は、支線に撚り込んでいる巻付グリップの末端部を、両側から挟み込むねじ込み式のクリップ体により形成されていることから、支線に撚り込んでいる巻付グリップの末端部にクリップ体を取り付けて、巻付グリップが解れてばらけてしまう事態の発生を未然に防止することができる。
【００４４】
また、本発明は、所定の針金部材を略Ｕ字状に折曲して形成した巻付グリップを、地面に打ち込んでいるアンカーにシンブルを介して引っ掛けた状態で、巻付グリップの略Ｕ字状の両端部を、支線に撚り込んで支線を把持している巻付グリップのばらけ防止具であって、該ばらけ防止具は、支線に撚り込んでいる巻付グリップの末端部を、両側から挟み込むねじ込み式のクリップ体により形成されていることから、支線に撚り込んでいる巻付グリップの末端部にクリップ体を取り付けて、地面の近辺において、例えば、子供等が巻付グリップを解してしまう悪戯を排除できる。
【００４５】
さらに、本発明は、所定の針金部材を略Ｕ字状に折曲して形成した巻付グリップを、玉がいし部を介して、上側支線・下側支線に撚り込んだ状態で、巻付グリップの略Ｕ字状の両端部を把持している巻付グリップのばらけ防止具であって、該ばらけ防止具は、支線に撚り込んでいる巻付グリップの末端部を、両側から挟み込むねじ込み式のクリップ体により形成されていることから、電柱とアンカーとの略中間に配される玉がいしの部分においても、子供等の手の届く高さの範囲においては、必要に応じて、上側支線と下側支線に撚り込んでいる巻付グリップの端部にばらけ防止具を取り付けて、巻付グリップが解れてばらけてしまう事態の発生を未然に防止することができる。
【００４６】
加えて、クリップ体は、支線に撚り込んでいる巻付グリップの末端部において、周側面の一方側に配置するＵ字ボルトと、周側面の他方側に配置する凹溝付台座から構成されていることから、支線に撚り込んでいる巻付グリップの末端部にＵ字ボルトと凹溝付台座を当てがい、Ｕ字ボルトの両端部に設けたネジ部を、凹溝付台座に設けた孔部に挿入し、孔部の反対側から突出しているネジ部にナットを螺合させることで、巻付グリップの末端部にクリップ体を簡単、且つ強固に固定できる。
【００４７】
この様に、本発明によれば、支線に撚り込んでいる巻付グリップの末端部に、巻付グリップのばらけ防止具を取り付けることから、巻付グリップが解れてばらけてしまう事態の発生を未然に防止することができる。
【００４８】
その為、子供等が巻付グリップを解してしまう悪戯をやめさせるために、作業員が定期的に巡回する必要もない。
【図面の簡単な説明】
【００４９】
【図１】電柱側の強化バンドの部分、電柱とアンカーとの略中間に配される玉がいしの部分、アンカーの部分の３カ所において、支線を把持している各巻付グリップにばらけ防止具が取り付けられている状態を示す斜視図である。
【図２】一対のリング半割体によりばらけ防止具が構成されている状態を示すもので、（ａ）は巻付グリップの末端部を、両側から挟み込もうとしている一対のリング半割体の分解斜視図、（ｂ）は巻付グリップの末端部を、一対のリング半割体により挟み込んでいるばらけ防止具の取り付け状態を示す斜視図である。
【図３】ねじ込み式のクリップ体によりばらけ防止具が構成されている状態を示すもので、（ａ）は巻付グリップの末端部を、両側から挟み込もうとしているＵ字ボルトと凹溝付台座の分解斜視図、（ｂ）は巻付グリップの末端部を、Ｕ字ボルトと凹溝付台座により挟み込んでいるばらけ防止具の取り付け状態を示す斜視図である。
【図４】電柱側の強化バンドの部分、電柱とアンカーとの略中間に配される玉がいしの部分、アンカーの部分の３カ所において、巻付グリップが支線を把持している状態を示す斜視図である。
【図５】電柱側の強化バンドの部分において、巻付グリップがばらけた状態を示す斜視図である。
【図６】電柱とアンカーとの略中間に配される玉がいしの部分において、巻付グリップがばらけた状態を示す斜視図である。
【図７】アンカーの部分において、巻付グリップがばらけた状態を示す斜視図である。
【図８】巻付グリップの一本だけが、解れてばらけた状態を示す斜視図である。
【図９】巻付グリップの多くが、解れてばらけた状態を示す斜視図である。
【図１０】従来の支線取付具の構成を示す斜視図である。
【図１１】従来の支線取付具の使用状態を示すもので、（ａ）は電柱にバンドを取り付け、巻付グリップの略Ｕ字状の両端部を、支線の上端部に撚り込んで支線を巻付グリップにより把持している状態の斜視図、（ａ）は巻付グリップが解れてばらけた状態の斜視図である。
【発明を実施するための形態】
【００５０】
以下に、図面を参照して、本発明を実施するための形態を詳細に説明する。
【００５１】
本発明に係る巻付グリップ１０２のばらけ防止具１は、図１に示すように、電柱Ｐ側の強化バンド１０１の部分、電柱Ｐとアンカー１０４との略中間に配される玉がいし１０５の部分、アンカー１０４の部分の３カ所において、上側支線Ｑ１と下側支線Ｑ２を把持する巻付グリップ１０２の各使用箇所に取り付けられるものである。この巻付グリップ１０２は、所定の針金部材を略Ｕ字状に折曲して形成されている。
【００５２】
具体的に、巻付グリップ１０２のばらけ防止具１は、図１に示すように、電柱Ｐ側の強化バンド１０１の部分において、上側支線Ｑ１の上端部に撚り込んでいる巻付グリップ１０２の端部に取り付けるものである。
【００５３】
また、電柱Ｐとアンカー１０４との略中間に配される玉がいし１０５の部分において、図１に示すように、上側支線Ｑ１の下端部に撚り込んでいる巻付グリップ１０２の端部に取り付けるものである。さらに、下側支線Ｑ２の上端部に撚り込んでいる巻付グリップ１０２の端部に取り付けるものである。
【００５４】
加えて、アンカー１０４の部分において、図１に示すように、下側支線Ｑ２の下端部に撚り込んでいる巻付グリップ１０２の端部に取り付けるものである。
【００５５】
このとき、子供等が巻付グリップ１０２を解してしまう悪戯が、地上のアンカー１０４の部分において行われ易いことから、アンカー１０４の部分において、下側支線Ｑ２の下端部に撚り込んでいる巻付グリップ１０２の端部にばらけ防止具１を取り付けことが最も多い。
【００５６】
また、電柱Ｐとアンカー１０４との略中間に配される玉がいし１０５の部分においても、子供等の手の届く高さの範囲においては、必要に応じて、上側支線Ｑ１と下側支線Ｑ２に撚り込んでいる巻付グリップ１０２の端部に、ばらけ防止具１を取り付ける。
【００５７】
さらに、電柱Ｐ側の強化バンド１０１の部分は、相当の高さを有することから、子供等が巻付グリップ１０２を解してしまう悪戯を行い難い部分であるが、必要に応じて、上側支線Ｑ１に撚り込んでいる巻付グリップ１０２の端部に、ばらけ防止具１を取り付ける。
【００５８】
尚、電柱Ｐ側の強化バンド１０１の部分、電柱Ｐとアンカー１０４との略中間に配される玉がいし１０５の部分、アンカー１０４の部分の３カ所において、上側支線Ｑ１と下側支線Ｑ２を把持する巻付グリップ１０２等の形状については、図４乃至図７に基づいて既に説明済みであることから、同一の構成には、同一の符号を付すことにより、その詳細な説明を省略する。
【００５９】
ばらけ防止具１の具体的な構成としては、図２（ａ）（ｂ）に示すように、支線Ｑ（上側支線Ｑ１、下側支線Ｑ２）に撚り込んでいる巻付グリップ１０２の末端部を、両側から挟み込む一対のリング半割体２，３により形成されている。
【００６０】
一対のリング半割体２，３により形成される円環の内径は、図２（ｂ）に示すように、支線Ｑ（上側支線Ｑ１、下側支線Ｑ２）に撚り込んで巻付グリップ１０２の外径に略一致している。
【００６１】
そして、図２（ａ）に示すように、一方のリング半割体２の一端には、嵌合凸部４が設けられ、他端には嵌合凹部５が設けられている。また、他方のリング半割体３の一端には、一方のリング半割体２の嵌合凸部４が嵌合する嵌合凹部５が設けられ、他端には、一方のリング半割体２の嵌合凹部５に嵌合する嵌合凸部４が設けられている。
【００６２】
この一対のリング半割体２，３は、それぞれの嵌合凸部４と嵌合凹部５が、互いにパッチン止め式に嵌め込められて、円環状のばらけ防止具１を形成するのである。
【００６３】
この他、巻付グリップ１０２のばらけ防止具１は、図３（ａ）（ｂ）に示すように、支線Ｑ（上側支線Ｑ１、下側支線Ｑ２）に撚り込んでいる巻付グリップ１０２の末端部を、両側から挟み込むねじ込み式のクリップ体１１により形成しても良い。
【００６４】
このクリップ体１１は、図３（ａ）に示すように、支線Ｑ（上側支線Ｑ１、下側支線Ｑ２）に撚り込んでいる巻付グリップ１０２を挟み込む、Ｕ字ボルト１２と、凹溝付台座１３から構成されている。
【００６５】
Ｕ字ボルト１２は、支線Ｑ（上側支線Ｑ１、下側支線Ｑ２）に撚り込んでいる巻付グリップ１０２の外周の半径部分に対応した、Ｕ字の屈曲した内周の半径部分を有している。また、Ｕ字ボルトの両端部には、ネジ部（雄ネジ）１２ａを設けている。
【００６６】
凹溝付台座１３は、略四角形の台座板の角部に、合計４個の突起を設けている。この４個の突起により、巻付グリップ１０２の末端部を収容する凹溝を形成している。また、台座板には、２個の孔部１３ａが設けられている。
【００６７】
そして、支線Ｑ（上側支線Ｑ１、下側支線Ｑ２）に撚り込んでいる巻付グリップ１０２の末端部に凹溝付台座１３を当てがい、巻付グリップ１０２を凹溝付台座１３の複数の突起により形成されている凹溝に収容した状態で、巻付グリップ１０２の他方側にＵ字ボルト１２を当てがい、Ｕ字ボルト１２の両端部に設けているネジ部１２ａを、凹溝付台座１３に設けた孔部１３ａに挿入し、孔部１３ａの反対側から突出しているネジ部１２ａにナット１４を螺合させて、巻付グリップ１０２の末端部にクリップ体１１を取り付けるのである。
【００６８】
この他、巻付グリップ１０２のばらけ防止具１として、例えば、架空送電線に使用される既存の難着雪リングを採用したり、ワイヤークリップ等を採用しても良い。
【００６９】
また、巻付グリップ１０２のばらけ防止具１を取り付けている支線Ｑ（上側支線Ｑ１、下側支線Ｑ２）は、長手方向に沿って切れ目を設けている所定の長さの筒状ガード体により覆っておくと、より好ましいものとなる。
【００７０】
尚、本発明は、前記した実施の形態に限定されるものではなく、本発明の目的を達成できる範囲での改良・変形等は、本発明に全て包含されるものである。
【産業上の利用可能性】
【００７１】
本発明係る巻付グリップのばらけ防止具は、電柱支持用の支線に用いている巻付グリップが解れてばらけてしまう事態の発生を防止することの他に、支線やメッセンジャーワイヤー等の引留や接続、また、落石防護網を固定する留め具として使用する巻付グリップのばらけ防止具等として、幅広く利用することができる。
【符号の説明】
【００７２】
Ｐ…電柱
Ｑ…支線（上側支線Ｑ１、下側支線Ｑ２）
Ｖ…ボルト
Ｎ…ナット
１…ばらけ防止具
２…リング半割体
３…リング半割体
４…嵌合凸部
５…嵌合凹部
１１…クリップ体
１２…Ｕ字ボルト
１２ａ…ネジ部
１３…凹溝付台座
１３ａ…孔部
１３ｂ…嵌合溝
１４…ナット
１００…支線取付具
１０１…強化バンド
１０２…巻付グリップ
１０３…通し金具
１０４…アンカー
１０５…玉がいし部
１０６…丸型シンブル
１０７…分けシンブル
１０８…挟持片部
【図１】
2012191762.tif 000003
【図２】
2012191762.tif 000004
【図３】
2012191762.tif 000005
【図４】
2012191762.tif 000006
【図５】
2012191762.tif 000007
【図６】
2012191762.tif 000008
【図７】
2012191762.tif 000009
【図８】
2012191762.tif 000010
【図９】
2012191762.tif 000011
【図１０】
2012191762.tif 000012
【図１１】
2012191762.tif 000013